(57)【要約】【課題】製品輸送時用の固定ボルトの外し忘れによる不具合を未然に防止すること。【解決手段】洗濯兼脱水槽７８を回転自在に内包する水槽８２と、水槽８２の上部背面側に固定された固定金具８４と、製品輸送時に洗濯機本体８３の背面部８６と固定金具８４とを固定する固定ボルト８５と、電源を供給する電源コード９０とを備え、固定ボルト８５は、その頭部と背面部８６に固定した裏板９１との間に電源コード保持部材９５を挟着して、電源コード保持部材９５の孔部９６を通し、裏板９１、洗濯機本体８３の背面部８６を補強する補強板９４を介して固定金具８４に螺着するとともに、電源コード保持部材９５に形成したコード保持部９７と裏板９１との間に電源コード９０を挟着することにより、固定ボルト８５を外して電源コード９０を外さないと運転ができないので、固定ボルト８５の外し忘れが原因で起こる脱水異常振動などの不具合を未然に防止することができる。【選択図】図１
2016146983.tif 000002
【特許請求の範囲】
【請求項１】
洗濯機本体と、前記洗濯機本体内に揺動可能に弾性的に支持された水槽と、前記水槽内に回転自在に支持された洗濯兼脱水槽と、輸送時に前記洗濯機本体と前記水槽とを固定する固定部材と、プラグを有する電源コードとを備え、前記固定部材による前記水槽と前記洗濯機本体との固定操作により、前記電源コードを前記洗濯機本体に固定することを特徴とする洗濯機。
【請求項２】
前記洗濯機本体と前記水槽とを固定する固定ボルトを設け、前記固定ボルトにより前記洗濯機本体にコード保持部材を固定し、前記コード保持部材と前記洗濯機本体との間に前記電源コードを挟持することを特徴とする請求項１に記載の洗濯機。
【発明の詳細な説明】
【技術分野】
【０００１】
本発明は、洗濯兼脱水槽内に収容した洗濯物を洗濯する洗濯機に関するものである。
【背景技術】
【０００２】
従来、この種の洗濯機は、製品輸送時に洗濯機本体内部に揺動自在に防振支持されている水槽が揺れて洗濯機本体が傷つく等の不具合を防止するために、輸送時には水槽と洗濯機本体を固定ボルトにて固定し、製品設置時にはそれを取り外す構成が提案されてきた（例えば、特許文献１参照）。
【０００３】
図５は、特許文献１に記載された従来の洗濯機の縦断面図である。
【０００４】
図５において、洗濯機本体１内には、上方より防振構造を有するサスペンション３によって水槽２が宙吊り状態に防振支持され、かつ、下方よりダンパー４にて振動減衰するように支えられる。水槽２内には、有底円筒形に形成された洗濯兼脱水槽５が、回転自在に支持され、水槽２の外底部に固設したモータ７の回転が、モータプーリ８、ベルト９、駆動プーリ６等を介して洗濯兼脱水槽５に洗濯、すすぎ、脱水等の回転駆動するように伝達される。前記水槽２は加速度センサー１０を固定し、水槽２が振動して加速度センサー１０に加速度が加わると内部の振動子が揺れてその変位を電気信号に変換し制御装置（図示せず）に伝達され、振動制御に活用される。また、水槽２には、リードスイッチ１４を装着し、駆動プーリ６に取り付けた磁石１５によりＯＮ−ＯＦＦ信号が制御部（図示せず）に伝達され、回転制御等に活用される。
【０００５】
脱水工程時に、洗濯兼脱水槽５内に入れられた洗濯物が片寄っている場合、その片寄りを吸収して脱水回転を行えるように水槽２を揺動自在に防振支持し、洗濯機本体１に伝達するのを防止することが出来るが、異常に大きい片寄りを生じた場合には水槽２が異常振動を起こすことがある。水槽２が異常振動すると洗濯機から大きな騒音が発生したり、洗濯機が損傷するおそれがあるので、その問題を解決するために、加速度センサー１０にて検知した水槽２の振動の判定結果に応じて、回転制御により回転数を低下させたり、脱水動作を中止して再び給水を行なって、洗濯物の片寄りをなくす等の動作を行なうように制御されている。
【０００６】
一方、上記構成では、水槽２が洗濯機本体１内部で揺動自在に構成しているために、洗濯機の運搬移送時に水槽２が異常に大きく揺動すると、水槽２自体や水槽２に取り付けられている部材が洗濯機本体１内壁面や、洗濯機本体１内部に取り付けられている他の部材に衝突し破損に至る恐れがある。そこで、運搬移送時のこうした問題を解決するために、洗濯機本体１と水槽２との間に移送金具１６を固定ボルト１７で装着し、水槽２が揺動しないように固定保持し、洗濯機を使用者宅に据え付ける際に、前記固定ボルト１７および移送金具１６を取り外して水槽２の固定保持を解除するような構造が採用されている。
【先行技術文献】
【特許文献】
【０００７】
【特許文献１】特開平３−２６４０８８号公報
【発明の概要】
【発明が解決しようとする課題】
【０００８】
しかしながら、前記従来の構成では、新規に洗濯機を購入した時の設置時に固定ボルトを取り外し忘れて、洗濯脱水運転をした場合、洗濯兼脱水槽が回転する際の振動軽減の目
的で取り付けてあるサスペンションやダンパーによる防振効果は機能せず、洗濯機が製品移動するという安全面の課題や、異常音や異常振動、さらに部材の破損等を生じるという課題があった。
【０００９】
本発明は、前記従来の課題を解決するもので、設置時の固定ボルトの外し忘れを解消でき、固定ボルトの外し忘れが原因で発生する異常振動などの不具合を未然に防止し得る洗濯機を提供することを目的とする。
【課題を解決するための手段】
【００１０】
前記従来の課題を解決するために、本発明のドラム式洗濯機は、洗濯機本体と、前記洗濯機本体内に揺動可能に弾性的に支持された水槽と、前記水槽内に回転自在に支持された洗濯兼脱水槽と、輸送時に前記洗濯機本体と前記水槽とを固定する固定部材と、プラグを有する電源コードとを備え、前記固定部材による前記水槽と前記洗濯機本体との固定操作により、前記電源コードを前記洗濯機本体に固定するものである。
【００１１】
これによって、水槽ユニットを洗濯機本体に固定して製品輸送時の揺動を防止することができると共に、固定部材を外さない限り、電源コードを外して製品の運転をすることができないので、固定部材の外し忘れを解消でき、固定部材の外し忘れが原因で発生する脱水異常振動などの不具合を未然に防止することができる。
【発明の効果】
【００１２】
本発明のドラム式洗濯機は、輸送用の固定ボルトを確実に外すように構成することで、固定ボルトの外し忘れが原因で発生する脱水異常振動などの不具合を未然に防止することができる。
【図面の簡単な説明】
【００１３】
【図１】本発明の実施の形態におけるドラム式洗濯機の縦断面図
【図２】同ドラム式洗濯機のブロック回路図
【図３】同ドラム式洗濯機の裏面側から見た背面図
【図４】同ドラム式洗濯機の要部断面図
【図５】従来のドラム式洗濯機の内部機構図
【発明を実施するための形態】
【００１４】
第１の発明は、洗濯機本体と、前記洗濯機本体内に揺動可能に弾性的に支持された水槽と、前記水槽内に回転自在に支持された洗濯兼脱水槽と、輸送時に前記洗濯機本体と前記水槽とを固定する固定部材と、プラグを有する電源コードとを備え、前記固定部材による前記水槽と前記洗濯機本体との固定操作により、前記電源コードを前記洗濯機本体に固定するものである。
【００１５】
これによって、水槽ユニットを洗濯機本体に固定して製品輸送時の揺動を防止することができると共に、固定部材を外さない限り、電源コ−ドを外して製品の運転をすることができないので、固定部材の外し忘れを解消でき、固定部材の外し忘れが原因で発生する脱水異常振動などの不具合を未然に防止することができる。
【００１６】
第２の発明は、第１の発明において、前記洗濯機本体と前記水槽とを固定する固定ボルトを設け、前記固定ボルトにより前記洗濯機本体にコード保持部材を固定し、前記コード保持部材と前記洗濯機本体との間に前記電源コードを挟持するものである。
【００１７】
この構成とすることにより、水槽ユニットを洗濯機本体に固定して製品輸送時の揺動を防止することができると共に、固定ボルトを確実に外さない限り、電源コードを外して製
品の運転をすることができないので、固定ボルトの外し忘れを解消でき、固定ボルトの外し忘れが原因で発生する脱水異常振動などの不具合を未然に防止することができる。
【００１８】
以下、発明の実施の形態について、図面を参照しながら説明する。また、この実施の形態によって本発明が限定されるものではない。
【００１９】
（実施の形態１）
図１は、本発明の実施の形態におけるドラム式洗濯機の縦断面図である。
【００２０】
図１において、水槽ユニット７６は、水槽８２内に有底円筒状に形成された洗濯兼脱水槽７８を回転自在に収納し、洗濯兼脱水槽７８の底部となる背面側に向けて軸方向が水平または水平方向から下向き傾斜となるようにした回転軸７９を水槽８２の背面に設けられた軸受８０で軸支すると共に、回転軸７９に洗濯兼脱水槽駆動用のモータ８１を連結して構成されている。
【００２１】
水槽ユニット７６は、上述のように、洗濯兼脱水槽７８、水槽８２、モータ８１等で構成される振動系であるが、軸心を洗濯機本体８３内に傾斜して配設され、洗濯機本体８３の基底部７３と水槽８２下面部に設けられた支持板７４との間に取り付けられて固定具７７などにより固定された減衰防振ダンパー７０により、その重量が支持され、更に水槽８２の上部に固定された上部支持金具７５と洗濯機本体８３の上面との間に第１の防振バネ７１と、洗濯機本体８３の背面部８６との間の第２の防振バネ７２とで揺動自在に弾性的に防振支持されている。
【００２２】
洗濯機本体８３の前面部の傾斜面には、扉８７を開閉自在に軸支し、使用者は扉８７部より洗濯兼脱水槽７８内方に洗濯衣類を投入する。
【００２３】
洗濯機本体８３の内方下部に配設され、洗い、すすぎ、脱水等の一連の工程を制御するマイクロコンピュータ等で構成した制御部３１は、扉８７の上方に配した操作表示部２５の入力設定手段３５および表示手段３６や、水槽８２の上方外壁に設けられ水槽ユニット７６の振動を検知する加速度センサー８８と信号伝達を行うと共に、モータ８１等の回転制御を行う。
【００２４】
加速度センサー８８は、例えば半導体加速度センサーで構成し、１方向の加速度でなく前後左右上下等の多軸（２軸もしくは３軸）方向の加速度センサーで構成される。これは、実際の水槽ユニット７６の振動は、必ずしも一方向に限定できないので、多軸の加速度センサーを用いて、高精度に水槽ユニット７６の動きを検知するためである。
【００２５】
また、水槽８２の上部背面側には、上部支持金具７５が固定され、この上部支持金具７５に固定金具８４が固定されている。固定金具８４は、製品輸送時に、水槽ユニット７６の揺動を防止するために水槽ユニット７６を洗濯機本体８３に固定するものである。
【００２６】
洗濯機本体８３の背面部８６には、裏板固定ビス９２により裏板９１が固定され、固定金具８４は、固定ボルト８５を螺合することにより、洗濯機本体８３の背面部８６側から洗濯機本体８３の背面部８６を補強する補強板９４を介して裏板９１に固定される。裏板９１と固定ボルト８５の間に電源コード保持部材９５を介在させ、固定ボルト８５の固定金具８４への螺合時に、電源コード保持部材９５を裏板９１と固定ボルト８５との間に挟持固定する。
【００２７】
固定金具８４の固定構成は、以降、図４に基づいて詳述する。
【００２８】
なお、固定ボルト８５は、洗濯機の輸送時のみに必要とするものであり、洗濯機の据付設置時に取外される。
【００２９】
図２は、本発明の実施の形態におけるドラム式洗濯機のブロック回路図である。
【００３０】
図２において、商用電源２０の交流電力を整流器２１により整流し、チョークコイル２２及び平滑コンデンサー２３からなる平滑回路により平滑化された直流電力を駆動電力として、インバータ回路２４によりモータ８１を回転駆動する。
【００３１】
また、制御部３１は、入力設定手段３５から入力される運転指示、及び各検知手段（図示せず）により検知される運転状態の監視情報に基づいてモータ８１の回転を制御し、負荷駆動部２６により給水弁２７、排水弁２８、送風ファン１２、ヒータ２９の動作を制御すると共に、表示手段３６により運転状態や制御状態を使用者に判るように表示信号を送信する。
【００３２】
モータ８１は、３相巻線７ａ、７ｂ、７ｃを有するステータと、２極の永久磁石を有するロータ（図示せず）とを備え、３つの位置検出素子３０ａ、３０ｂ、３０ｃを設けた直流ブラシレスモータとして構成され、スイッチング素子２４ａ〜２４ｆにより構成されたＰＷＭ制御インバータ回路２４により回転制御される。位置検出素子３０ａ、３０ｂ、３０ｃが検出するロータ位置検出信号は、マイクロコンピュータ等により構成された制御部３１に入力される。このロータ位置検出信号に基づいて、駆動回路３２によりスイッチング素子２４ａ〜２４ｆのオン／オフ状態をＰＷＭ制御することにより、ステータの３相巻線７ａ、７ｂ、７ｃに対する通電を制御してモータ８１を所要回転数で回転させる。
【００３３】
制御部３１は、３つの位置検出素子３０ａ、３０ｂ、３０ｃの検出出力が入力される回転速度検知部３３を有し、回転速度検知部３３は、３つの位置検出素子３０ａ、３０ｂ、３０ｃのいずれかの信号の状態が変わることに応じてその周期を検出し、その周期よりモータ８１の回転数を算出する。洗濯兼脱水槽７８内に投入された衣類の量に応じて、洗濯兼脱水槽７８即ちモータ８１に加わる負荷が変動するので、回転速度検知部３３の検知出力を布量検知部３４に供給すれば、検出された回転数に基づき、洗濯兼脱水槽７８内に投入された布量が検知される。なお、モータ８１の回転速度検知部３３の検知出力は洗濯兼脱水槽７８の回転数に対応するものである。
【００３４】
水槽８２に設けた加速度センサー８８は、少なくとも水槽ユニット７６の上下、左右の複数方向の加速度を検知し、制御部３１内に構成した加速度検知部３９は、加速度センサー８８からのデジタル信号もしくはアナログ信号にて得られる加速度データを検知し、変位演算部４０は、検知した加速度データを演算して水槽ユニット７６の変位量データ（振幅値）を得て記憶手段９８に記憶する。そして、制御部３１は、そのデータから水槽ユニット７６の振動状態を判定して、工程の脱水制御や後述する固定金具８４の有無の検知を行なう。
【００３５】
報知手段９９は、行程終了時の終了報知や異常発生時の異常報知を行ない、使用者に知らせるものである。
【００３６】
図３は、本発明の実施の形態におけるドラム式洗濯機の裏面側から見た背面図、図４は、同ドラム式洗濯機の要部断面図を示すものである。
【００３７】
図３、図４において、固定ボルト８５は、頭部と裏板９１との間に電源コード保持部材９５を挟み込み、ネジ部を電源コード保持部材９５の孔部９６に通し、裏板９１及び補強板９４を介して、固定金具８４に螺着されている。そして、固定ボルト８５を固定金具８
４に螺着することにより、電源コード保持部材９５に形成されたコード保持部９７にて、裏板９１との間に電源コード９０のプラグ部近傍を挟持する。
【００３８】
以上の構成により、水槽ユニット７６を洗濯機本体８３に固定することにより、製品輸送時の揺動を防止することができると共に、固定ボルト８５を外さない限り、電源コード９０を外して洗濯機の運転をすることができないので、固定ボルト８５の外し忘れを防止することができる。
【００３９】
以上のように、本実施の形態においては、製品輸送時に洗濯機本体８３の背面部８６と固定金具８４とを固定する固定ボルト８５は、その頭部と背面部８６に固定した裏板９１との間に電源コード保持部材９５を挟着して、電源コード保持部材９５の孔部９６を通し、裏板９１、洗濯機本体８３の背面部８６を補強する補強板９４を介して固定金具８４に螺着するとともに、電源コード保持部材９５に形成したコード保持部９７と裏板９１との間に電源コード９０を挟着する構成とすることにより、水槽ユニット７６を洗濯機本体８３に固定して製品輸送時の揺動を防止することができると共に、固定ボルト８５を確実に外さない限り、電源コード９０を外して製品の運転をすることができないので、固定ボルト８５の外し忘れが原因で発生する脱水異常振動などの不具合を未然に防止することができる。
【００４０】
なお、本実施の形態では、固定ボルト８５により固定金具８４を洗濯機本体８３に固定したが、他の固定部材、例えば、固定ピンなどの他の固定装置を用いてもよい。
【００４１】
また、固定ボルト８５により共締めするコード保持部９７と洗濯機本体８３との間に電源コード９０を挟持したが、例えば、電源コード９０に係止部を形成し、係止部を固定ボルト８５によって洗濯機本体８３に固定する構成としてもよく、固定ボルト８５により固定金具８４を洗濯機本体８３に固定する際に電源コード９０を同時に固定できる構成であれば、他の構成を採用することができる。
【産業上の利用可能性】
【００４２】
以上のように、本発明によれば、製品輸送時の揺動を防止するために固定金具を洗濯機本体に固定している固定ボルトを外さないと、電源コードを外して運転できない構成とすることで、固定ボルトの外し忘れが原因で発生する脱水異常振動などの不具合を未然に防止することが可能となるので、他の洗濯機の用途に適用できる。
【符号の説明】
【００４３】
３１  制御部
７６  水槽ユニット
７８  洗濯兼脱水槽
７９  回転軸
８１  モータ
８２  水槽
８３  洗濯機本体
８４  固定金具
８５  固定ボルト
８６  背面部
９０  電源コード
９１  裏板
９４  補強板
９５  電源コード保持部材
９６  孔部
９７  コード保持部
【図１】
2016146983.tif 000003
【図２】
2016146983.tif 000004
【図３】
2016146983.tif 000005
【図４】
2016146983.tif 000006
【図５】
2016146983.tif 000007